(57)【要約】【課題】マヨネーズ・ケチャップなどのチューブ容器の中にゴム風船袋を入れて、その中に中身を入れるので、残り少なくなればチューブ容器から引き出すのでチューブ容器は汚れないので、プラのリサイクルに出し、ゴム風船袋は中身を容易に出し切る事が出来終わったら一般ごみに出す。【解決手段】マヨネーズ・ケチャップなどのチューブ容器２の中に、チューブゴム風船袋具１を入れ、出し口部６の外側の下がった所にある風船袋固定凸３に途切れている風船袋取り外し部５を設け、チューブゴム風船袋具１の風船袋口輪４を折り返して風船袋固定凸３に引っかけ固定させ中身を入れるよう設け、中身が残り少なくなったらチューブ容器２からチューブゴム風船袋具１を引き出し絞り終えたら一般ごみに出し、チューブ容器２はプラのリサイクルに出す。【選択図】    図１
2012250729.tif 000002
【特許請求の範囲】
【請求項１】
マヨネーズ・ケチャップなどのチューブ容器の中に、半透明のゴム風船の袋を入れるよう設け、そのゴム風船の中に中身を入れるよう設けた、チューブゴム風船袋具。
【請求項２】
チューブの上部の出し口部の外側の下がった部分に、チューブゴム風船袋具を引っ張り出すための風船袋取り外し部を設け、風船袋固定凸にチューブゴム風船袋具の縁を引っかけて固定するよう設けたチューブゴム風船袋具。
【発明の詳細な説明】
【技術分野】
【０００１】
本発明はマヨネーズ・ケチャップなどのチューブ容器に関するものである。
【背景技術】
【０００２】
従来のマヨネーズ・ケチャップなどのチューブ容器は出し口部より胴体部が大きくなつていて中身が多量に入る。
【０００３】
チューブ容器が先細りなので中身が少なくなれば出し口部の反対側の底部を丸めたり指で挟んで絞ったりして指が痛くなるほど行っても中身は残る。
【０００４】
また、リサイクル法でマヨネーズ・ケチャップなどのチューブ容器はプラになるので、資源ごみに出すのにある程度中身を水道であらたり、紙できれいにふきとるか、ハサミでチューブ容器の真ん中を切って水で落としているのですが、流しに中身が張り付いてしまいスポンジで洗うので、２度手間がかかる。
【先行技術文献】
【特許文献】
【０００５】
【特許文献１】特願２００９−１７３３３３号公報
【特許文献２】特開平９−２４０６９８号公報
【特許文献３】特開平７−１２４０１７号公報
【発明の概要】
【発明が解決しようとする課題】
【０００６】
解決しようとする問題点は、ベトベトしている中身を、いかにして使い切り、また、いかにしてチューブ容器の中身を取りのぞきリサイクルするかである。
【課題を解決するための手段】
【０００７】
本発明は、マヨネーズ・ケチャップなどのチューブ容器の中に、ゴム風船の袋を入れてその中に中身を入れるよう設け、中身が残り少なくなったらチューブ容器から引き出して残りを絞り終えたら一般ごみに出し、チューブ容器はプラのリサイクルに出す。
【発明の効果】
【０００８】
本発明は、チューブ容器の中にゴム風船の袋をいれ、その中に中身を入れるのでチューブ容器はまったく汚れず、残り少なくなりチューブ容器から引き出したゴム風船の袋も柔らかく手触りも良く中身を絞り出す事が容易である。
【図面の簡単な説明】
【０００９】
【図１】本発明のチューブゴム風船袋具の正面図
【図２】本発明のチューブゴム風船袋具の出し口部の上面図
【図３】本発明のチューブゴム風船袋具の出し口部の拡大正面図
【発明を実施するための形態】
【００１０】
本発明のチューブゴム風船袋具は、ゴム風船の袋を使用することにより面倒だったチューブ容器の内側にベットリと張り付いている中身の処理をし、また、面倒なので一般ゴミに出す事もなくなりリサイクル率が上がるといつた利点が見込める。
【実施例】
【００１１】
図１は、本発明のマヨネーズ・ケチャップなどの正面図であり、チューブゴム風船袋具１のチューブ容器２の収まり図で、出し口部６の外側に設けた風船袋固定凸３に風船袋口輪４を固定させ、図２の上面図でわかるようにチューブゴム風船袋具１を引き出す時に風船袋口輪４を取り外すための風船袋取り外し部５を設けた。図３は、出し口部６の拡大図である。
【００１２】
チューブゴム風船袋具の大きさは、使用する各チューブ容器の内容量と同じ位にし、透明・半透明の指サックのような材質のチューブゴム風船袋具を使用する。
【００１３】
ハミガキコ・バター・薬味などの出し口部の小さいチューブ容器から、チューブゴム風船袋具を引き出す時は出し口部を揉みほぐしながら行う。
【００１４】
チューブ容器から、チューブゴム風船袋具を引き出し中身が残っていたら風船袋口輪を少し折り曲げて挟む物などではさんで冷蔵庫に入れておく。
【産業上の利用可能性】
【００１５】
チューブゴム風船袋具を使用する事により各チューブ容器の内側にフィットし、ゴム風船も安価で、チューブ容器と分離する事により中身を絞り出しやすく、ゴム風船なので手に優しく余すことなく出しきれて、捨てる時は一般ごみで、各チューブ容器は何もせずにプラのリサイクル容器のごみ箱に捨てる事が出来る。
【００１６】
マヨネーズ・ケチャップ以外のチューブ容器の製品（バター・ねり調味料・油絵具・化粧品）などにも使用する事が出来る。  
【符号の説明】
【００１７】
１    チューブゴム風船袋具                                                  
２    チューブ容器                                                          
３    風船袋固定凸                                                            
４    風船袋口輪                                                            
５    風船袋取り外し部                                                      
６    出し口部                                      
【図１】
2012250729.tif 000003
【図２】
2012250729.tif 000004
【図３】
2012250729.tif 000005
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
マヨネーズ・ケチャップなどのチューブ容器の中に、半透明のゴム風船の袋を入れるよう設け、そのゴム風船の中に中身を入れるよう設け、風船袋口輪をチューブ容器の出し口部の外側に設けてある風船袋
固定凸に裏返して固定するよう設けた、チューブゴム風船袋具。
【手続補正２】
【補正対象書類名】明細書
【補正対象項目名】００１１
【補正方法】変更
【補正の内容】
【００１１】
図１は、本発明のマヨネーズ・ケチャップなどの正面図であり、チューブゴム風船袋１のチューブ容器２の収まり図で、出し口部６の外側に設けた風船袋固定凸３に風船袋口輪４を引っかけ固定させ、図２の上面図でわかるようにチューブゴム風船袋具１を引き出す時に風船袋口輪４を取り外しやすくするために、風船袋固定凸３を一部設けていない部分の風船袋取り外し部５を設け親指と人差し指で、巻き上げるか、こすりあげる。図３は、出し口部６の拡大図である。